(57)【要約】　　　（修正有）【課題】レンズホルダーの取り付け位置精度が組立治具の設置位置のバラツキに左右されると共に、組立治具を必要とすることから作業性に問題があったので、この問題を解決することを課題とする。【解決手段】レンズホルダー２の光路用孔４に挿入される突起７ａ，８ａを有する位置決め部材７，８をフレーム１に一体的に形成し、突起７ａ，８ａをレンズホルダー２の光路用孔に挿入することでフレーム１に対してレンズホルダー２の位置決めを行い、この状態でレンズホルダー２をフレーム１に対して変位可能に支持するべくサスペンション部材を架設し、その後、位置決め部材７，８を除去するようにしている。これによりフレーム１に対するレンズホルダー２の設置位置精度の向上により組立治具を用いずにサスペンション部材を架設し、この状態で、位置決め部材７，８によるレンズホルダー２の規制を解除する。【選択図】　図１
2004014025.tif 000002
【特許請求の範囲】
【請求項１】
対物レンズが装着されるレンズホルダーをフレームに対して変位可能に支持する対物レンズ駆動装置であって、前記レンズホルダーの対物レンズの光路を確保する光路用孔に挿入される突起を有する位置決め部材を前記フレームに一体的に形成し、前記突起をレンズホルダーの光路用孔に挿入することで前記フレームに対してレンズホルダーの位置決めを行い、このレンズホルダーの位置決めが行われた状態でレンズホルダーをフレームに対して変位可能に支持するべくサスペンション部材をフレームとレンズホルダーとに架設し、前記サスペンション部材によってレンズホルダーをフレームに支持した状態でレンズホルダーから前記位置決め部材を除去したことを特徴とする対物レンズ駆動装置。
【請求項２】
前記位置決め部材はレンズホルダーの両側面にそれぞれ相対する両側壁からそれぞれ内側に向かって突出して設けられ、各位置決め部材にそれぞれ形成される各突起をそれぞれレンズホルダーの光路用孔に挿入してその光路用孔の縁部に係合させるようにしたことを特徴とする請求項１記載の対物レンズ駆動装置。
【請求項３】
前記位置決め部材にレンズホルダーの対物レンズの光軸方向における設置位置を設定するべくレンズホルダーを当接支持するリブを設けたことを特徴とする請求項１、あるいは請求項２記載の対物レンズ駆動装置。
【発明の詳細な説明】
【０００１】
【発明の属する技術分野】
本発明は、ディスク等の信号記録媒体に対して信号読み取り、あるいは信号書き込みを行う光学ヘッドに備えられる対物レンズ駆動装置に関する。
【０００２】
【従来の技術】
対物レンズ駆動装置は、一般に対物レンズが装着されるレンズホルダーがサスペンション部材によってフレームと連結されており、これによりフレームに対してレンズホルダーが変位可能に弾性的に支持される構成となっている。
【０００３】
前記サスペンション部材としてはサスペンションワイヤーが用いられることが多く、このようにサスペンションワイヤーが用いられる対物レンズ駆動装置は、フレームに取り付けられる取付板に互いに平行に架設される４本のサスペンションワイヤーの一端をそれぞれ固定し、その各サスペンションワイヤーの他端をそれぞれレンズホルダーに固定することで各サスペンションワイヤーによりレンズホルダーをフレームに対して変位可能に弾性的に支持する。
【０００４】
ところで、対物レンズ駆動装置の組立時において、サスペンションワイヤーを架設する場合、各サスペンションワイヤーは最初に取付板に形成される各孔にそれぞれ挿入され、次に、レンズホルダーに設けられる孔に挿入されて取付板及びレンズホルダーでハンダ付けや接着剤により固定されて架設される。
【０００５】
また、レンズホルダーにフォーカシングコイル及びトラッキングコイルの各駆動コイルを取り付けてアクチュエータ可動部が構成され、レンズホルダーの各駆動コイルの有効辺に対して設計どおりに磁界を形成するべく磁気回路を構成する永久磁石及び磁気ヨークをレンズホルダーに配置する。
【０００６】
これらの理由により、サスペンション部材を架設する際にはレンズホルダーをフレームの所定位置に設置する必要がある。
【０００７】
【発明が解決しようとする課題】
ところで、レンズホルダーをフレームの所定位置に設置する場合、専用の組立治具を用いて行われていた。
【０００８】
その為、レンズホルダーの取り付け位置精度が組立治具の設置位置のバラツキに左右されると共に、組立治具を必要とすることから作業性に問題があり、また、組立治具を設置可能とするべくフレーム及びレンズホルダーの形状を考慮する必要があった。
【０００９】
また、レンズホルダーの取り付け位置精度が確保できないことで、レンズホルダー側及びフレーム側における各サスペンション部材の一端側及び他端側の支持位置にバラツキが生じ、各サスペンション部材が架設される位置のアンバランスのために、トラッキングやフォーカシング時の対物レンズのシフト時に対物レンズの姿勢が変化し、光学性能の劣化を招く問題があった。
【００１０】
【課題を解決するための手段】
本発明は、レンズホルダーの対物レンズの光路を確保する光路用孔に挿入される突起を有する位置決め部材をフレームに一体的に形成し、前記突起をレンズホルダーの光路用孔に挿入することで前記フレームに対してレンズホルダーの位置決めを行い、このレンズホルダーの位置決めが行われた状態でレンズホルダーをフレームに対して変位可能に支持するべくサスペンション部材をフレームとレンズホルダーとに架設し、前記サスペンション部材によってレンズホルダーをフレームに支持した状態でレンズホルダーから前記位置決め部材を除去するようにしている。これによりフレームに対するレンズホルダーの設置位置精度の向上により組立治具を用いずにサスペンション部材をフレームとレンズホルダーとに架設し、このサスペンション部材が架設された状態で、位置決め部材によるレンズホルダーの規制を解除するようにしている。
【００１１】
【実施例】
図１は本発明に係る対物レンズ駆動装置の主要部分の展開状態を底面側から示す展開斜視図、図２は図１に示す対物レンズ駆動装置の組立状態を底面側から示す斜視図、図３は図１に示す対物レンズ駆動装置の組立状態を上面側から示す斜視図、図４は図１に示す対物レンズ駆動装置の組立完了状態を上面側から示す斜視図である。
【００１２】
フレーム１はＰＰＳ（ポリ・フェニリン・サルファサイド）やポリカーボネート等の強度大の合成樹脂により一体成形され、半導体レーザーや光検出器が組み込まれる光学ハウジング（図示せず）に設置されて光学ヘッドを構成する。
【００１３】
レンズホルダー２には対物レンズ３が取り付けられる部分に対物レンズ３の光路を確保する光路用孔４が形成されている。また、レンズホルダー２にはレンズホルダー２の側面全周を包囲するべく巻回されるフォーカシングコイル５と、レンズホルダー２の２つの有効辺の各両脇にそれぞれ巻回されるトラッキングコイル６とが配置される。
【００１４】
フレーム１には、レンズホルダー２の両側面にそれぞれ相対する両側壁からそれぞれ内側に向かって突出して設けられている位置決め部材７，８が一体的に形成され、各位置決め部材７，８の先端にはそれぞれレンズホルダー２の光路用孔４に挿入される突起７ａ，８ａが形成されている。
【００１５】
また、前記位置決め部材７，８には、それぞれレンズホルダー２を当接支持するリブ７ｂ，８ｂが設けられており、この各リブ７ｂ，８ｂはレンズホルダー２の対物レンズ３の光軸方向における設置位置を設定するのに用いられる。
【００１６】
次に、このような構成部品により成る対物レンズ駆動装置の組立方法を説明する。
【００１７】
まず、自動機を用いて巻回されるフォーカシングコイル５及びトラッキングコイル６の各駆動コイルをレンズホルダー２に装着しておき、このレンズホルダー２をフレーム１の底面側から光路用孔４に各位置決め部材７，８の突起７ａ，８ａが挿入されるようにフレーム１に設置する。
【００１８】
この場合、各位置決め部材７，８は分離して設けられており、各位置決め部材７，８に弾性が付与されるので、各位置決め部材７，８にレンズホルダー２が容易に堅実に係合される。
【００１９】
レンズホルダー２をフレーム１に設置する際には、図５の断面図に示す如く、各突起７ａ，８ａの先端の爪部が光路用孔４の縁部に係合され、これによりレンズホルダー２の対物レンズ３の光軸と直交する方向における設置位置が設定され、また、位置決め部材７，８の各リブ７ｂ，８ｂはレンズホルダー２の対物レンズ３が装着される上面に当接され、これによりレンズホルダー２の対物レンズ３の光軸方向における設置位置が設定される。
【００２０】
このようにしてレンズホルダー２がフレーム１の所定位置に設置されるので、この状態でレンズホルダー２をフレーム１に対してフォーカス方向及びトラッキング方向に変位可能に支持するべく各サスペンションワイヤー１０をフレーム１とレンズホルダー２とに架設する。
【００２１】
各サスペンションワイヤー１０を架設する際には、各サスペンションワイヤー１０の終端をハンダ付により固定する配線基板１１をフレーム１の所定の端面にネジ止めしておき、各サスペンションワイヤー１０が挿入される各孔１１ａがロート状になっている治具（図示せず）を用いて各サスペンションワイヤー１０は配線基板１１の各孔１１ａから挿通され、フレーム１のサスペンションワイヤー挿通空間２０を介した後、レンズホルダー２の相対する所定の２側面の中央上下からそれぞれ突出される各支持部１２に形成される孔１２ａに挿通される。尚、前記サスペンションワイヤー挿通空間２０には各サスペンションワイヤー１０が架設された後、ダンプ剤が充填される。
【００２２】
この場合、レンズホルダー２がフレーム１の所定位置に設置されているので、配線基板１１の各孔から挿通された各サスペンションワイヤー１０は各支持部１２の孔１２ａに円滑に挿入され、また、サスペンションワイヤー１０が歪められてサスペンションワイヤー１０に応力が残留することが軽減される。
【００２３】
そして、各サスペンションワイヤー１０の先端部は、フォーカシングコイル５及びトラッキングコイル６の各駆動コイルの所定の端末が絡げられるレンズホルダー１の各突片１３に付設配置される。
【００２４】
各サスペンションワイヤー１０は、先端部において前記各突片１３にハンダ付固定され、終端部において配線基板１１にハンダ付固定され、各支持部１２の孔１２ａの部分において紫外線硬化タイプの接着剤によってレンズホルダー２に接着される。
【００２５】
このようにして各サスペンションワイヤー１０を架設してレンズホルダー２はフレーム１に支持される。
【００２６】
また、フレーム１には、レンズホルダー２の各駆動コイルの有効領域に有効磁界を発生する磁気回路が設置され、この磁気回路は互いに同一磁極が対向配置される一対の永久磁石１４，１５と、この各永久磁石１４，１５がそれぞれ付設されるバックヨーク部及び各永久磁石１４，１５の所定に磁極面に対向する対向ヨーク部を備える各ヨーク１６，１７とから構成され、この各ヨーク１６，１７がフレーム１の所定位置に接着剤によって固着される。
【００２７】
このようにして各サスペンションワイヤー１０が架設されると共に、磁気回路が形成された状態で、各位置決め部材７，８をフレーム１の側壁から折り欠いて除去し、各位置決め部材７，８によるレンズホルダー２の位置規制を解除する。
【００２８】
これにより、レンズホルダー２はディスクの信号面に光ビームを合焦させるフォーカス制御及びディスクの信号トラックに光ビームを追従させるトラッキング制御が行えるように変位可能に支持される状態となる。
【００２９】
ここで、各位置決め部材７，８の根元部分には、上面側にそれぞれ溝１８，１９が形成されており、この各溝１８，１９により各位置決め部材７，８が折り欠き易いようになっている。その為、各位置決め部材７，８は容易に確実に根元部分から除去され、各位置決め部材７，８によりレンズホルダー２の変位が阻害されることはない。
【００３０】
各位置決め部材７，８を除去したら、対物レンズ３をレンズホルダー２の光路用孔４上の所定位置に接着剤により接着固定する。
【００３１】
このようにして図４に示す如く、対物レンズ駆動装置の組み立てが完了し、この状態において、レンズホルダー２はフレーム１に変位可能に支持されていると共に、各駆動コイルの有効領域が有効磁界内に配置されているので、フォーカシングコイル５にフォーカス制御信号を供給することによりそのフォーカス制御信号に応じてレンズホルダー２を介して対物レンズ３をフォーカス方向に駆動することが出来、各トラッキングコイル６にトラッキング制御信号を供給することによりそのトラッキング制御信号に応じてレンズホルダー２を介して対物レンズ３をトラッキング方向に駆動することが出来る。
【００３２】
ところで、レンズホルダー２はフレーム１に一体成形された各位置決め部材７，８により位置規制されて設置され、この各位置決め部材７，８はフレーム１を成形する寸法精度により位置が設定される。
【００３３】
したがって、レンズホルダー２の設置位置をフレーム１に対して所定位置に設置され、この結果、応力を残留させずに各サスペンションワイヤー１０を架設するのに有利であり、レンズホルダー２を配置する位置精度が向上されると共に、各位置決め部材７，８によるレンズホルダー２への位置規制を解除した際に、対物レンズ３の光軸ズレを発生させ難い構成になっている。
【００３４】
【発明の効果】
以上のとおり、本発明に依れば、レンズホルダーをフレームに一体成形された位置決め部材により位置規制してフレームに配置するようにしているので、レンズホルダーを設置するための組立治具を用いずにレンズホルダーをフレームの所定位置に配置することができ、作業性が良好であると共に、組立治具の寸法精度及び設置ばらつきに因らず、フレームを一体成形する部品寸法で実現でき、レンズホルダーの取付位置精度の向上が図れる。
【００３５】
特に、前記位置決め部材をレンズホルダーの両側壁からそれぞれ内側に向かって突出して設け、各位置決め部材にそれぞれ形成される各突起をそれぞれレンズホルダーの光路用孔に挿入してその光路用孔の縁部に係合させるようにしているので、各位置決め部材に係合させるためにレンズホルダーの形状を変更する必要がないと共に、各位置決め部材に弾性が付与されていることにより容易に堅実にレンズホルダーを係合させることができる。
【００３６】
また、前記位置決め部材にレンズホルダーの対物レンズの光軸方向における設置位置を設定するべくレンズホルダーを当接支持するリブを設けているので、レンズホルダーの対物レンズの光軸方向における設置位置の設定も行える。
【図面の簡単な説明】
【図１】本発明に係る対物レンズ駆動装置の主要部分の展開状態を底面側から示す展開斜視図である。
【図２】図１に示す対物レンズ駆動装置の組立状態を底面側から示す斜視図である。
【図３】図１に示す対物レンズ駆動装置の組立状態を上面側から示す斜視図である。
【図４】図１に示す対物レンズ駆動装置の組立完了状態を上面側から示す斜視図である。
【図５】レンズホルダー２をフレーム１に設置した状態を示す断面図である。
【符号の説明】
１　　　　　フレーム
２　　　　　レンズホルダー
３　　　　　対物レンズ
４　　　　　光路用孔
７，８　　　位置決め部材
７ａ，８ａ　　　突起
７ｂ，８ｂ　　　リブ
１０　　　　　サスペンションワイヤー
【図１】
2004014025.tif 000003
【図２】
2004014025.tif 000004
【図３】
2004014025.tif 000005
【図４】
2004014025.tif 000006
【図５】
2004014025.tif 000007